(57)【要約】【課題】書類の出し入れの手軽さを損なうことなく収納する書類の落下を防ぎ、書類に吸着することなく簡単にクリアホルダの開放部を留めることができるクリアホルダ留め具、クリアホルダ留め具シート、クリアホルダ、およびクリアホルダセットを提供する。【解決手段】基材と吸着層とを有し、基材および吸着層は可撓性であり、吸着層を向かい合わせるように折り曲げることができ、クリアホルダを構成する２枚の樹脂板の、開放されている辺のそれぞれの外側の面に、向かい合う吸着層をそれぞれ吸着させることにより、上記課題を解決する。【選択図】図１
2011121296.tif 000002
【特許請求の範囲】
【請求項１】
基材と吸着層とを有し、
前記基材および前記吸着層は可撓性であり、前記吸着層を向かい合わせるように折り曲げることができ、
クリアホルダを構成する２枚の樹脂板の、開放されている辺のそれぞれの外側の面に、向かい合う前記吸着層をそれぞれ吸着させることで、前記クリアホルダ内に収納された書類の落下を防ぐことを特徴とするクリアホルダ留め具。
【請求項２】
前記吸着層は、アクリル酸エステル系エマルジョン、酸化チタン、および硬化剤よりなる発泡層であることを特徴とする請求項１に記載のクリアホルダ留め具。
【請求項３】
前記吸着層の初期吸着力が、２０ｇ／３０ｍｍ以上であることを特徴とする請求項１または２に記載のクリアホルダ留め具。
【請求項４】
前記２枚の樹脂板の一方に吸着することのできる前記吸着層の面積が６００ｍｍ２以上であることを特徴とする請求項１〜３のいずれかに記載のクリアホルダ留め具。
【請求項５】
前記基材と前記吸着層との間に、接着層および／またはコーティング層である少なくとも１以上の層を有する構造であることを特徴とする請求項１〜４のいずれかに記載のクリアホルダ留め具。
【請求項６】
前記基材は、樹脂であることを特徴とする請求項１〜５のいずれかに記載のクリアホルダ留め具。
【請求項７】
前記基材は、紙であることを特徴とする請求項１〜５のいずれかに記載のクリアホルダ留め具。
【請求項８】
さらに、前記基材に折り目が形成され、前記吸着層を向かい合わせるように前記折り目で折ることができることを特徴とする請求項１〜７のいずれかに記載のクリアホルダ留め具。
【請求項９】
前記折り目はミシン目により入れられていることを特徴とする請求項８に記載のクリアホルダ留め具。
【請求項１０】
前記折り目はプレス加工により入れられていることを特徴とする請求項８に記載のクリアホルダ留め具。
【請求項１１】
請求項１〜１０のいずれかに記載のクリアホルダ留め具と、該クリアホルダ留め具が吸着される保護シートとを有することを特徴とするクリアホルダ留め具シート。
【請求項１２】
請求項１〜１０のいずれかに記載のクリアホルダ留め具を有することを特徴とするクリアホルダ。
【請求項１３】
請求項１〜１０のいずれかに記載のクリアホルダ留め具と、クリアホルダとを有することを特徴とするクリアホルダセット。
【請求項１４】
請求項１１に記載のクリアホルダ留め具シートとクリアホルダとを有することを特徴とするクリアホルダセット。
【発明の詳細な説明】
【技術分野】
【０００１】
本発明は、クリアホルダに収納された書類の落下を防ぐためのクリアホルダ留め具、クリアホルダ留め具シート、クリアホルダ、およびクリアホルダセットに関するものである。
【背景技術】
【０００２】
クリアホルダは、一般的には、例えば図１０に示すように矩形状の樹脂板（例えば、ＰＰ（ポリプロピレン）、ＰＥＴ（ポリエチレンテレフタレート）等）を重ね合わせるように折り曲げ、折り曲げた辺に隣接した１辺を溶着等によって閉じたものであり、開放されている残りの２辺の側、例えば上方または右方から書類を挿入し、２枚の樹脂板の間に書類を挟んで収納することができる。ところが、クリアホルダを持ち歩いた際に、収納した書類が落下してしまう場合があった。
【０００３】
これに対し、特許文献１では、書類を出し入れする開放部の一方のビニール板端部に、インデックス取り付け部と、他方のビニール板を押さえるための押さえ部とを設けたクリアホルダが開示されている。
【０００４】
また、特許文献２では、上面シートと下面シートとを重ね合わせ、３辺を接合して１辺を開口部とし、粘着および剥離の繰り返しを可能とする粘着部を当該開口部の内側に、辺と平行な帯状領域として設けたクリアホルダ、および開口部を覆う蓋部を設け、当該蓋部に粘着部を設けたクリアホルダが開示されている。
【先行技術文献】
【特許文献】
【０００５】
【特許文献１】特開平１０−７１７９３号公報
【特許文献２】実用新案登録第３１３９１１８号公報
【発明の概要】
【発明が解決しようとする課題】
【０００６】
しかしながら、特許文献１に記載のクリアホルダは、押さえ部に片方のビニール板を指し込んだり、さらにビニール板に設けられた半月形状の舌片部の裏面に押さえ部を係合させるため、中に収納する書類が厚いと、書類を上手く押さえることができない。また、使用者が押さえ部を有する補助片を自らクリアホルダに取り付けた場合、ビニール板の辺に対して斜めに取り付けるなど補助片の取り付け位置が悪いと、ビニール板が浮いたり、逆に十分に押さえることができない等の問題があった。また、加工工数が多いためコストアップの要因となっていた。
【０００７】
特許文献２に記載のクリアホルダは、３辺が接合されて粘着部が開口部の書類が触れる面（内側）にあるため、書類の出し入れの途中で書類が粘着部に貼りついてしまう場合があり、書類の出し入れがスムーズに行えないという問題があった。また、開口部を覆う蓋部を設けても、蓋部に粘着部を設けた場合、書類の出し入れ時に書類が粘着部に触れる可能性が高いし、蓋部が接する開口部の外側に粘着部を設けても、書類の出し入れ時には蓋部自体を開けておく必要があるため、やはりスムーズに書類の出し入れを行うことができなかった。さらに、開口部が１辺だけであるので、ファイルに綴じて保存する場合は書類の出し入れの手間がさほど問題ではないとしても、開放部が２辺のクリアホルダに適用すると、書類の出し入れが手軽にできるという利点を損なうこととなる。
【０００８】
本発明の目的は、上記従来技術の問題点を解消し、書類の出し入れの手軽さを損なうことなく収納された書類の落下を防ぎ、留め具が収納された書類に吸着することなくクリアホルダを構成する樹脂板に吸着することで、簡単にクリアホルダの開放部を留めることができるクリアホルダ留め具、クリアホルダ留め具シート、クリアホルダ、およびクリアホルダセットを提供することにある。
【課題を解決するための手段】
【０００９】
上記課題を解決するために、本発明は、基材と吸着層とを有し、前記基材および前記吸着層は可撓性であり、前記吸着層を向かい合わせるように折り曲げることができ、クリアホルダを構成する２枚の樹脂板の、開放されている辺のそれぞれの外側の面に、向かい合う前記吸着層をそれぞれ吸着させることで、前記クリアホルダ内に収納された書類の落下を防ぐことを特徴とするクリアホルダ留め具を提供する。
【００１０】
また、前記吸着層は、アクリル酸エステル系エマルジョン、酸化チタン、および硬化剤よりなる発泡層であるのが好ましい。
さらに、前記吸着層の初期吸着力が、２０ｇ／３０ｍｍ以上であるのが好ましい。
また、前記２枚の樹脂板の一方に吸着することのできる前記吸着層の面積が６００ｍｍ２以上であるのが好ましい。
さらに、前記基材と前記吸着層との間に、接着層および／またはコーティング層である少なくとも１以上の層を有する構造であるのが好ましい。
【００１１】
また、前記基材は、樹脂であるのが好ましく、また、前記基材は、紙であるのが好ましい。
また、さらに、前記吸着層を向かい合わせて、折り目で折ることができるように前記基材に前記折り目が形成されてもよい。
また、前記折り目はミシン目により入れられてもよく、また、前記折り目はプレス加工により入れられてもよい。
【００１２】
また、上記課題を解決するために、本発明は、上記のいずれかに記載のクリアホルダ留め具と、該クリアホルダ留め具が吸着される保護シートとを有することを特徴とするクリアホルダ留め具シートを提供する。
【００１３】
さらに、上記課題を解決するために、本発明は、上記のいずれかに記載のクリアホルダ留め具を有することを特徴とするクリアホルダを提供する。
また、上記課題を解決するために、本発明は、上記のいずれかに記載のクリアホルダ留め具と、クリアホルダとを有することを特徴とするクリアホルダセットを提供する。
さらに、上記課題を解決するために、本発明は、上記に記載のクリアホルダ留め具シートとクリアホルダとを有することを特徴とするクリアホルダセットを提供する。
【発明の効果】
【００１４】
本発明によれば、書類の出し入れの手軽さを損なうことなく収納された書類の落下を防ぎ、留め具が収納された書類に吸着することなくクリアホルダを構成する樹脂板に吸着することで、簡単にクリアホルダの開放部を留めることができる。
【図面の簡単な説明】
【００１５】
【図１】本発明に係るクリアホルダ留め具の第１実施形態の、使用直前の状態の一例を表した模式的斜視図である。
【図２】本発明に係るクリアホルダ留め具の一例の模式的断面図である。
【図３】本発明に係るクリアホルダ留め具シートの第１実施形態の一例を示す平面図である。
【図４】本発明に係るクリアホルダの一例を示す平面図である。
【図５】本発明に係るクリアホルダ留め具とクリアホルダをセットにしたクリアホルダセットの説明図である。
【図６】本発明に係るクリアホルダ留め具の使用状態の一例を示す図である。
【図７】本発明に係るクリアホルダ留め具の他の一例を示す模式的断面図である。
【図８】本発明に係るクリアホルダ留め具の第２実施形態の、使用直前の状態の一例を表した模式的斜視図である。
【図９】本発明に係るクリアホルダ留め具シートの第２実施形態の一例を示す平面図である。
【図１０】従来のクリアホルダの一例を示す説明図である。
【発明を実施するための形態】
【００１６】
本発明に係るクリアホルダ留め具、クリアホルダ留め具シート、クリアホルダ、およびクリアホルダセットを、添付の図面に示す好適実施形態に基づいて以下に詳細に説明する。なお、ここでいうクリアホルダは、必ずしも透明でなくても良く、例えば、顔料等で樹脂板が着色されて収納されている書類が外部から見えないものや、表面に模様や文字が印刷されたものも含まれる。
【００１７】
図１は、本発明に係るクリアホルダ留め具の第１実施形態の、使用直前の状態を表した模式的斜視図である。図１に示すクリアホルダ留め具１０は、基材１２および吸着層１４から構成され可撓性を有する。ここで、クリアホルダ留め具１０の長辺の略中心部分は、使用時に折り曲げられることが想定された折り曲げ部１６である。また、クリアホルダ留め具１０の片側の短辺には、剥がしやすいように取っ手部１３が設けられている。
図２に、クリアホルダ留め具１０の模式的断面図を示す。図２に示すように、基材１２の片面には吸着層１４が形成されている。
【００１８】
基材１２は、紙やペン等で記入することが出来る樹脂または紙で構成されている。ここで、基材１２に用いることのできる樹脂（プラスチックフィルム）としては、例えばＰＰ（ポリプロピレン）樹脂を主原料とする合成紙が挙げられる。
基材１２の吸着層１４と反対側の表面には、色による識別および文字等が記入しやすいように枠１５が設けられており、横長の略長方形である。基材１２の厚さは、使用時にクリアホルダ留め具１０側が下側になった場合であっても、クリアホルダ内に収納されている書類を保持できる厚さであればよい。
【００１９】
また、基材１２の大きさ（すなわち、クリアホルダ留め具１０の大きさ）は、後述する吸着層１４が所定の吸着力を発揮するのに必要な面積が確保されればよく、使いやすい大きさとするのが好ましい。例えば、取っ手部１３を含めた大きさが、短辺が２０ｍｍ程度、長辺が１０５ｍｍ程度であるのが好ましい。なお、クリアホルダ留め具１０の大きさは短辺が１００ｍｍ、長辺が４２０ｍｍ以下であるのが好ましい。
なお、本実施例では長方形であるが、形状はこれに限られず、吸着層１４が所定の吸着力を発揮するのに必要な面積が確保され、吸着させやすく剥がしやすい形状であれば、楕円、台形等の他の形状でもよい。
【００２０】
取っ手部１３は、樹脂板に吸着されたクリアホルダ留め具１０を剥がすときに、容易に剥がせるように設けられたものである。なお、取っ手部１３は、より剥がしやすいように吸着層１４を設けない構造としてもよい。
【００２１】
吸着層１４は、例えばアクリル酸エステル系エマルジョン、酸化チタン、および硬化剤で形成された発泡層であり、表面の滑らかなもの（いわゆる、ツルツルした表面性状をもつもの（樹脂（例えば、ＰＰ，ＰＥＴ）板、ガラス等））に、自在に吸着させたり剥がしたりすることが可能である。吸着層１４は、表面の滑らかなものには吸着させることが可能であるが、紙などの滑らかでないもの（いわゆる、ザラザラした表面性状をもつもの）には、吸着させることができない性質を持つものである。
【００２２】
吸着層１４の吸着力は、例えば、樹脂板（被着体）が無処理ＰＰまたは無処理ＰＥＴである場合、初期吸着力が１０ｇ／３０ｍｍ以上であればよく、２０ｇ／３０ｍｍ（６５．３×１０−３Ｎ／１０ｍｍ）以上であることがより好ましい。また、吸着力は、被着体によって限定されず、１０００ｇ／３０ｍｍ以下であることが好ましい。
ここで、吸着力は、ＪＩＳ  Ｚ  ０２３７に規定される粘着テープ・粘着シート試験方法に準じて測定すればよい。
【００２３】
クリアホルダ留め具１０は、使用時に折り曲げ部１６で折り曲げられる。このとき、２枚の樹脂板の一方には、クリアホルダ留め具１０の折り曲げ部１６で折り曲げられた一方（つまり、クリアホルダ留め具１０の長辺の長さから収納される書類の厚さを除き、略半分の長さの部分）が吸着され、２枚の樹脂板の他方にはクリアホルダ留め具１０の他方が吸着される。この吸着される面積は、収納される書類が落下しない程度であればよく、例えば、６００ｍｍ２以上とするのがよい。なお、吸着される面積の上限はクリアホルダ留め具１０が折り曲げられて使用されるため、基材１２の面積の略１／２を最大として制限されるが、使用時に容易に扱えるように、例えば２１０００ｍｍ２以下とするのがよい。
【００２４】
折り曲げ部１６は、クリアホルダ留め具１０が、２つ折りにされる部分である。折り曲げ部１６の吸着層１４と反対側の表面は、色による識別がしやすいように着色されていてもよい。
【００２５】
続いて、本発明に係る第１実施形態のクリアホルダ留め具シート３０について説明する。
図３は、本発明に係る第１実施形態のクリアホルダ留め具１０が、６つ吸着されたクリアホルダ留め具シート３０の一実施形態を示す平面図である。
クリアホルダ留め具シート３０は、保護シート２８とクリアホルダ留め具１０とで構成され、保護シート２８上に、クリアホルダ留め具１０が吸着された状態となっている。
【００２６】
保護シート２８は、例えば無処理ＰＰ、無処理ＰＥＴ等の樹脂板からなり、表面は滑らかである（いわゆる、ツルツルした表面性状をもつもの）。保護シート２８は、クリアホルダ留め具１０を自在に吸着させたり剥がしたりすることができ、クリアホルダ留め具１０が初期吸着力２０ｇ／３０ｍｍ程度で吸着可能なものである。
クリアホルダ留め具１０に文字等を記入する場合、保護シート２８に吸着させた状態で枠１５内に記入することで容易に記入することができる。また、複数のクリアホルダ留め具１０を色で分類しやすいように、複数種類の色が着色された、折り曲げ部１６および枠１５を有するクリアホルダ留め具１０が吸着されたクリアホルダ留め具シート３０としてもよい。
【００２７】
さらに、本発明に係る第１実施形態のクリアホルダ３２、およびクリアホルダセット５０について説明する。
【００２８】
図４に示すように、本発明に係る第１実施形態のクリアホルダ留め具１０を既存のクリアホルダ２０に付属させて、クリアホルダ３２としてもよい。
ここで、既存のクリアホルダ２０として例えば、図１０に示すような、矩形状の樹脂板（例えばＰＰ、ＰＥＴ等）を重ね合わせるように折り曲げ部２３で折り曲げ、折り曲げた辺に隣接した１辺を溶着等によって閉じて溶着部２５としたものを用いることができる。クリアホルダ２０は、開放されている残りの２辺の側、例えば上方の開放部２１ａ、または右方の開放部２１ｂから書類を挿入し、２枚の樹脂板２７ａ、２７ｂの間に書類を挟んで収納することができる。また、一方の樹脂板２７ａの右方の開放部２１ｂには書類の出し入れがしやすいように上部に切り欠き部２４が、下部に切り欠き部２６が設けられている。
【００２９】
クリアホルダ３２のクリアホルダ留め具１０は、クリアホルダ２０に吸着させてもよいし、外す必要がなければクリアホルダ２０の一方の樹脂板と略半分を接着してもよい。クリアホルダ留め具１０は、クリアホルダ２０の開放部２１ａ、２１ｂのどこに吸着または接着させてもよいが、切り欠き部２４の上下付近に吸着または接着させると、収納された書類の落下を効果的に防ぐことができる。また、クリアホルダ留め具１０は収納される紙のサイズに応じて吸着される場所が変更されてもよい。例えば、収納される紙のサイズが小さい場合には、収納された紙の上部付近の開放部２１ｂに、クリアホルダ留め具１０が吸着されてもよい。クリアホルダ留め具１０の略半分をクリアホルダ２０の一方の樹脂板と接着した場合には、留める位置は固定されてしまうが、クリアホルダ留め具１０の紛失を防ぐことができる。
【００３０】
また、図５に示すように、既存のクリアホルダ２０とクリアホルダ留め具シート５４とを、袋５６で包装してクリアホルダセット５０としてもよい。ここで、クリアホルダ留め具シート５４は、例えば、図５に示すように、既存のクリアホルダ２０の１枚毎にクリアホルダ留め具１０を１つ付属させることができるように、保護シート５２にクリアホルダ留め具１０が１つ吸着されたものを用いることができる。
さらに、複数枚の既存のクリアホルダ２０と、当該クリアホルダ２０と同じ枚数のクリアホルダ留め具１０が吸着されたクリアホルダ留め具シートとがセットになっていてもよい。例えば、６枚の既存のクリアホルダ２０と、図３に示すクリアホルダ留め具シート３０とをセットにしてもよい。なお、必ずしも既存のクリアホルダ２０の枚数とクリアホルダ留め具１０の数は同一である必要はない。
【００３１】
次に、本発明に係る第１実施形態のクリアホルダ留め具１０の作用を説明する。
【００３２】
図６は、クリアホルダ留め具１０の使用状態を表す図である。
まず、既存のクリアホルダ２０に書類２２が収納される。既存のクリアホルダ２０は上記で説明した通り、書類の出し入れがしやすいように、開放部２１ｂの上部に切り欠き部２４が、下部に切欠き部２６が設けられている。
書類２２が収納された状態の既存のクリアホルダ２０の開放部２１ｂの、２枚の樹脂板２７ａ，２７ｂの外側に、開放部２１ｂを跨ぐようにクリアホルダ留め具１０が折り曲げ部１６で折り曲げられ、クリアホルダ留め具１０の吸着層１４がそれぞれの樹脂板２７ａ，２７ｂに吸着される。
【００３３】
クリアホルダ留め具１０が、既存のクリアホルダ２０の開放部２１ｂを跨ぐように吸着されることで、既存のクリアホルダ２０の開放部２１ｂを、収納されている書類２２に吸着することなく簡単に留めることができ、書類の出し入れの手軽さを損なうことなく書類２２の落下を防ぐことができる。また、書類２２が厚くても、吸着層１４が必要な吸着力を発揮できるだけの面積が樹脂板２７ａ，２７ｂに吸着されれば、同様に簡単に留めることができる。
【００３４】
なお、クリアホルダ留め具１０は、図７の断面図に示すように、基材１２上に直接吸着層１４を形成せず、基材１２と吸着層１４との間に接着層１８を設けて多層構造としてもよい。さらに、接着層１８は接着層だけでなく、コーティング層等の他の層であってもよいし、これらの層を複数設けてもよい。
【００３５】
次に、本発明に係る第１実施形態のクリアホルダ留め具シート３０の作用を説明する。
クリアホルダ留め具シート３０は、図３に示すようにクリアホルダ留め具１０が保護シート２８に吸着された状態になっている。すると、クリアホルダ留め具シート３０は、重ねてもクリアホルダ留め具１０が互いに吸着することなく、他のものに不用意に吸着することもなく、クリアホルダ留め具１０を保存することができる。
【００３６】
なお、図３では、保護シート２８に６つのクリアホルダ留め具１０を吸着させた例を挙げたが、これに限定されず、保護シート２８は、少なくとも１つ以上のクリアホルダ留め具１０を吸着させることができればよい。
【００３７】
続いて、本発明に係る第１実施形態のクリアホルダ３２、およびクリアホルダセット５０の作用を説明する。
図４に示すように、本発明に係る第１実施形態のクリアホルダ留め具１０を既存のクリアホルダ２０に付属させて、クリアホルダ３２とすることで、使用者が別途クリアホルダ留め具１０を用意することなく、クリアホルダ３２の開放部２１ｂを留めることができる。
また、図５に示すように、既存のクリアホルダ２０とクリアホルダ留め具シート５４とを、袋５６で包装してクリアホルダセット５０とすることで、使用者が別途クリアホルダ留め具１０を用意することなく、クリアホルダ２０の開放部２１ａ、２１ｂを留めることができる。
なお、袋５６を用いずに、クリアホルダ留め具シート５４が既存のクリアホルダ２０内に収納される、あるいは添付されるクリアホルダセットでもよい。
【００３８】
図８は、本発明に係る第２実施形態のクリアホルダ留め具６０の、使用直前の状態を表した模式的斜視図である。
クリアホルダ留め具６０は、図１に示す本発明に係る第１実施形態のクリアホルダ留め具１０と比べ、折り曲げ部１６に相当する部分を折り目６６としたものであり、基本的に同様の構成を有するものである。よって、同様の構成要素には同一の符号を付し、その詳細な説明は省略する。
【００３９】
折り目６６は、クリアホルダ留め具６０が、２つ折りにされるために設けられている。折り目６６は、容易に折り曲げることができれば、ミシン目により入れられてもよいし、プレス加工により入れられてもよく、その他の加工法で入れられてもよい。
【００４０】
続いて、本発明に係る第２実施形態のクリアホルダ留め具シート８０について説明する。
図９は、本発明に係る第２実施形態のクリアホルダ留め具６０が、６つ吸着されたクリアホルダ留め具シート８０の一実施形態を示す平面図である。
クリアホルダ留め具シート８０は、保護シート７８とクリアホルダ留め具６０とで構成され、保護シート７８上に、クリアホルダ留め具６０が吸着されている。
【００４１】
保護シート７８は、第１実施形態の保護シート２８と同様に、クリアホルダ留め具６０を自在に吸着させたり剥がしたりすることができる。
【００４２】
本発明に係る第２実施形態のクリアホルダ留め具６０の作用は、第１実施形態のクリアホルダ留め具１０の場合とほぼ同様であり、また、本発明に係る第２実施形態のクリアホルダ留め具シート８０の作用も第１実施形態のクリアホルダ留め具シート３０の場合とほぼ同様であるから、繰り返しの説明は省略する。
【００４３】
ここで、第１実施形態の場合と異なる点として、本発明に係る第２実施形態のクリアホルダ留め具シート８０の保護シート７８には、クリアホルダ留め具６０の折り目６６に合わせて、ガイド７９を設けてもよい。保護シート７８にガイド７９を設けることで、一度使用されたクリアホルダ留め具６０が、ユーザにより保護シート７８に再度吸着させられる場合に、吸着させる場所の目安となり、クリアホルダ留め具６０を容易に整列させて、保護シート７８に吸着させることができる。ガイド７９は、クリアホルダ留め具６０の折り目６６と同様に、プレス加工等により設けてもよいし、印刷等で設けてもよい。
なお、図９では、保護シート７８に６つのクリアホルダ留め具６０を吸着させた例を挙げたが、これに限定されず、保護シート７８は、少なくとも１つ以上のクリアホルダ留め具６０を吸着させることができればよい。
【００４４】
また、第１実施形態のクリアホルダ３２、およびクリアホルダセット５０と同様、クリアホルダ留め具６０をクリアホルダ２０に付属させ、またはクリアホルダセットとしてもよい。
【００４５】
なお、上記の説明では、クリアホルダ留め具１０または６０をクリアホルダの長辺側の開放部に吸着させたが、クリアホルダが持たれる方向によっては、短辺側の開放部に吸着させてもよいし、クリアホルダ留め具１０または６０を２つ以上用いて長辺側と短辺側の両方の開放部に吸着させてもよいのはもちろんである。
【００４６】
以上、本発明に係るクリアホルダ留め具、クリアホルダ留め具シート、クリアホルダ、クリアホルダセットについて詳細に説明したが、本発明は、上記実施形態に限定されるものではなく、本発明の要旨を逸脱しない範囲において、各種の改良や変更を行ってもよい。
【符号の説明】
【００４７】
１０，６０  クリアホルダ留め具
１２  基材
１３  取っ手部
１４  吸着層
１５  枠
１６  折り曲げ部
１８  接着層
２０  既存のクリアホルダ
２１ａ，２１ｂ  開放部
２２  書類
２３  折り曲げ部
２４，２６  切り欠き部
２５  溶着部
２７ａ，２７ｂ  樹脂板
２８，５２，７８  保護シート
３０，５４，８０  クリアホルダ留め具シート
３２  クリアホルダ
５０  クリアホルダセット
５６  袋
６６  折り目
７９  ガイド
【図１】
2011121296.tif 000003
【図２】
2011121296.tif 000004
【図３】
2011121296.tif 000005
【図４】
2011121296.tif 000006
【図５】
2011121296.tif 000007
【図６】
2011121296.tif 000008
【図７】
2011121296.tif 000009
【図８】
2011121296.tif 000010
【図９】
2011121296.tif 000011
【図１０】
2011121296.tif 000012